(57)【要約】【課題】効率的な発電性能の保守手法を確立する。【解決手段】本開示における太陽光発電システムの発電性能を評価するシステム及び方法では、太陽光発電システムのレイアウト及びその中にある太陽光発電モジュールの特性指標を利用する。【選択図】図３
2020072601.tif 000002
【特許請求の範囲】
【請求項１】
太陽光発電システムの発電性能を評価する方法であって、
基礎（第一）太陽光発電システムにおける各太陽光パネルの発電特性データ（例えば、電圧、電流、それらが取得された時刻）を取得することと、
前記基礎太陽光発電システムにおける各太陽光パネルの前記発電特定性データを含むデータベースを作成することと、
対象（第二）太陽光発電システムにおける各太陽光パネルの発電特性データ（例えば、電圧、電流、それらが取得された時刻）を取得することと、
前記対象太陽光発電システムにおける各太陽光パネルの発電特性データを、前記データベース内の情報と参照して、前記対象太陽光発電システムを評価すること、
を備える方法。
【請求項２】
請求項１において、前記対象（第二）太陽光発電システムは、基礎（第一）太陽光発電システムであってもよく、基礎太陽光発電システムを含んでいてもよい。
【請求項３】
請求項１において、前記データベースは、非時系列電気特性データを含んでいてもよい。太陽光発電システムのレイアウトや、各発電モジュールの時系列電気特性情報、位置情報その他情報（公称出力値等）、太陽光発電所の基礎価値を推定するためのデータ、その他非発電モジュールの電気特性データ、パワコン監視データ、ストリング監視データ、等、環境データ、発電システムの地理的情報、その地理の気候天候情報などを含んでいてもよい。
【請求項４】
請求項１において、評価は、前記太陽光発電システムの発電能力の評価、将来発電能力の推定、そのランク付け、発電能力評価や推定結果に基づく保険料金の計算、可修繕度合の評価、前記太陽光発電システムの格付けを行うことを含んでいてもよい。
【請求項５】
太陽光発電システムの発電性能を監視する方法であって、
太陽光発電システムにおける各太陽光パネルの発電特性データ（例えば、電圧、電流、それらが取得された時刻）を取得することと、
前記太陽光発電システムにおける各太陽光パネルの発電特性データを、所定の発電特性条件に照らし合わせて、前記各太陽光パネルの特性（状態、劣化状態など）について評価することと、
前記評価に基づいて、前記各太陽光パネルに対する対応を決定すること
を備える方法。
【請求項６】
請求項５において、前記対応は修理又は交換をすることを含んでいてもよい。
【請求項７】
請求項５において、前記太陽光発電システムは１つ又は複数の（少なくとも一つの）太陽光発電システムを備える。
【請求項８】
請求項５において、前記評価することは、自己あるいは他の太陽光発電システムにおける各太陽光パネルの発電特性データを含むデータベースを参照すること（参照して行うこと）を含んでいてもよい。
【請求項９】
請求項１〜８の何れか１項に記載の方法を行うためのプログラム。
【請求項１０】
請求項１〜８の何れか１項に記載の太陽光発電システムにおける各太陽光パネルの発電特性データを含むデータベース。
【請求項１１】
請求項１〜８の何れか１項に記載の方法を行うための太陽光発電システムの発電性能評価システム。
【発明の詳細な説明】
【技術分野】
【０００１】
本開示は、太陽光発電システムの発電性能評価システム及び方法、プログラム、データベースに関するものである。
【背景技術】
【０００２】
太陽光発電システムの発電性能評価手法は煩雑且つ制約条件が多いため、それに基づく効率的な発電性能の保守手法が確立されていない状況である。
【発明の概要】
【発明が解決しようとする課題】
【０００３】
本開示は、このような問題を解決するために成されたものであり、効率的な発電性能の保守手法を確立することを目的とする。
【課題を解決するための手段】
【０００４】
上記した課題を解決するために、本開示における太陽光発電システムの発電性能を評価するシステム及び方法では、太陽光発電システムのレイアウト及びその中にある太陽光発電モジュールの特性指標を利用する。
【発明の効果】
【０００５】
上記のように構成した本開示によれば、効率的な発電性能の保守手法を確立することができる。
【図面の簡単な説明】
【０００６】
【図１】太陽光発電ストリングの性能低下の例を示す図である。
【図２】マトリックスを作る形式で推定する例を示す図である。
【図３】本開示の全体イメージを示す図である。
【発明を実施するための形態】
【０００７】
１．データベースの収集：太陽光発電システムのレイアウトや、各発電モジュールの時系列電気特性情報、位置情報その他情報（公称出力値、時系列通信回数等）を収集する装置もしくは前記収集した情報を保存するデータベース。
（ア）上記情報のほか、下記太陽光発電システムに関する情報も任意に含めてよい。
（Ａ）太陽光発電所の基礎価値を推定するためのデータ
１）出力容量
２）直流側容量
３）系統連系日情報
４）売買単価、等
（Ｂ）その他非発電モジュールの電気特性データ
１）パワコン監視データ
２）ストリング監視データ、等
（Ｃ）環境データ
１）現場の計測機器から取得するデータ
（あ）日射計データ
（い）温度データ、等
２）外部データベースから取得するデータ
（あ）NEDOシステムの地域別日射強度、積算日射量等のデータ
（い）気象局データ、等
【０００８】
２．データの統計的処理：
（ア）適切な時間域（特定の日時や季節、発電システム全体もしくはその一部の特性指標（発電効率、積算発電量、電流値、電圧値、通信パケット数、その他参考特性）の値から切り出す時間域その他）を指定し、この時間域における太陽光発電システムもしくは各発電モジュールの特性指標（発電効率、積算発電量、電流値、電圧値、通信パケット数、その他参考特性）の平均値、中央値等の統計量を計算する。
（Ａ）上記の「適切な時間域の指定」の一つの実施例として、太陽光発電モジュール（発電システムもしくはその一部でもよい）の電流値を日射強度の代理として使用し、電流値の大小を用いて時間域の指定に利用できることを上げられる。実施例は左記の限りではない。
（イ）上記計算結果の単独使用もしくは、第1条ア項にあるその他任意収集の情報との併用で下記指標のいずれかまたは全部を計算
（Ａ）発電システムもしくは各発電モジュールの理論特性指標
（Ｂ）各発電モジュールもしくは発電モジュールから構成される直列（ストリング）構造、直並列（アレイ）構造の特性指標の
１）分布
２）偏差
偏差の計算を利用する理由として、発電モジュール間（ストリング間、アレイ間でもよい）の特性指標の違い及びその違いの時系列変化は、発電システムもしくはその一部の不具合を評価するに利用できるからである。
例えば、図１のイメージは、5枚／直列で3直列から構成される太陽光発電アレイの中、6番から10番までの太陽光発電モジュールから構成された太陽光発電ストリングの性能低下を示唆する。性能低下した太陽光ストリングは、性能低下の要因だとみられる発電モジュール（PANEL10）の電圧等の電気特性の相対的低下のみならず、同じストリングにあるその他の発電モジュールの電圧上昇も同時に見られる。偏差の実例はこれに限りではない。
３）理論値
４）理論値と実測値の乖離、等
【０００９】
３．統計結果に基づき発電システムの性能評価を行う：上記統計的処理結果の単独利用もしくは第1条ア項にあるその他任意情報との併用で発電システムを下記角度から評価。
（ア）太陽光発電システムの発電能力の評価
（Ａ）発電システムもしくはその一部の電気特性指標の理論値と実測の乖離度合と、個別発電モジュールの同じもしくは類似発電システムにある他の発電モジュールと比べた偏差や乖離の組み合わせを用いて当該発電システムの性能を推定する。推定する例は、図２のようなマトリックスを作る形式でもよい。
（Ｂ）偏差βの計算は、個別モジュールが属する発電システムもしくはその一部の電気特性の標準偏差値でもよい。または個別発電モジュールが発電システムもしくはその一部にあるすべての発電モジュールの平均値や中央値等の統計指標と比べた差、あるいは一定の差に達した個別発電モジュールが全体に占める割合でもよい。βの計算はこの限りではない。
（イ）上記の推定結果を用いた将来発電能力の推定
（Ａ）例えば、ア項の例に挙げられた発電システムから計算されたα値、β値を、その発電システムの運転年数情報を合わせてα値、β値の年間変化率α´、β´を計算し、将来の発電能力の推定に使用する。将来発電能力の推定方法はこの限りではない。
（ウ）将来発電能力推定に基づく保険料金の計算
（Ａ）例えば、前記イ項の例にある発電システムのα´をシステムの発電性能や、発電モジュールの延長保証等の保険商品の料金算定時に利用できる。なお保険料金の種類も、算定方法も左記の限りではない。
（エ）可修繕度合の評価
（Ａ）ア項の評価結果により、例えば
１）A＆Bゾーンの場合、個別モジュールの交換もしくは配置変えの可能性を評価
２）B&Dゾーンの場合、モジュール出力保証の活用可能性を評価
（オ）上記ア〜エの単独もしくは複合的な利用により太陽光発電システムの格付けを行う。
【図１】
2020072601.tif 000003
【図２】
2020072601.tif 000004
【図３】
2020072601.tif 000005